(57)【要約】  本発明は、単一反応器形状における、硫黄含有鉱物油およびバイオマス由来原料の両方を含有する供給流の水素化方法に関する。この処理によって、脱硫され、脱酸素され、かつ脱ろうされた炭化水素生産物であって、酸素含有量が低く、イソ−パラフィン含有量が高く、ｎ−パラフィン含有量が低く、かつ良好な低温流れ特性を有するものが製造される。好ましい実施形態において、本明細書のプロセスは、バイオマス成分の脱酸素反応の間に製造される水による不活性化および／または触媒損失を防止するために、耐水性水素化脱ろう触媒を利用する。
2015525271.tif 000002
【特許請求の範囲】
【請求項１】
少なくとも１つの液体モーター燃料生産物を形成するための、鉱油成分およびバイオマス油成分を含んでなる炭化水素原料の処理方法であって、
ａ）前記炭化水素原料よりも少ない有機結合硫黄および前記炭化水素原料よりも少ない有機結合酸素を含有する第１の反応領域流出物を製造するために十分な第１の水素化処理条件下で、水素化処理反応器の第１の反応領域において、前記炭化水素原料および第１の水素処理ガス流を、水素化脱硫／脱酸素触媒と接触させる工程と、
ｂ）第２の反応領域流出物を製造するために十分な第２の水素化処理条件下で、前記水素化処理反応器の第２の反応領域において、前記第１の反応領域流出物を脱ろう触媒と接触させる工程と、
ｃ）前記炭化水素原料よりも低い硫黄含有量および前記炭化水素原料よりも低い酸素含有量を有する反応器流出物生産物を製造するために、気相生産物流を前記第２の反応領域流出物から分離する工程と、
ｄ）前記反応器流出物生産物の少なくとも一部から少なくとも１つの液体モーター燃料生産物を製造する工程と
を含んでなり、
前記脱ろう触媒が、ゼオライト担体と、その上に堆積された１つ以上の第ＶＩＢ族金属および第ＶＩＩＩ族金属を含んでなる少なくとも１つの活性金属化合物と、（Ａ）チタン、ジルコニウム、バナジウム、モリブデン、マンガンおよびセリウムから選択される１つ以上の金属の酸化物、炭化物、窒化物、リン化物、硫化物またはそれらの組み合わせ、（Ｂ）活性炭、ならびに（Ｃ）チタン、ジルコニウム、バナジウム、モリブデン、マンガンおよびセリウムから選択される１つ以上の金属がその上に堆積された炭素のうち１つ以上を含んでなる、親水性で水熱安定性の結合剤とを含んでなる、
方法。
【請求項２】
前記脱ろう触媒の前記結合剤が、ジルコニア、バナジア、チタニア、酸化モリブデン、酸化マンガン、酸化セリウム、炭素またはそれらの組み合わせを含んでなる、請求項１に記載の方法。
【請求項３】
前記脱ろう触媒の前記結合剤が、チタン、ジルコニウム、バナジウム、モリブデン、マンガンおよびセリウムから選択される１つ以上の金属を含んでなる、請求項１に記載の方法。
【請求項４】
前記脱ろう触媒の前記結合剤が、チタン、ジルコニウムおよびセリウムから選択される１つ以上の金属を含んでなる、請求項３に記載の方法。
【請求項５】
前記脱ろう触媒の前記結合剤が、チタン、ジルコニウムおよびセリウムから選択される１つ以上の金属から本質的になる、請求項４に記載の方法。
【請求項６】
前記脱ろう触媒の前記結合剤が、チタンを含んでなる、請求項３に記載の方法。
【請求項７】
前記脱ろう触媒の前記結合剤が、チタンから本質的になる、請求項６に記載の方法。
【請求項８】
前記脱ろう触媒の前記ゼオライト担体が、ＺＳＭ−５、ＺＳＭ−２２、ＺＳＭ−２３、ＺＳＭ−３５、ＺＳＭ−４８、ゼオライトベータ、ゼオライトＹ、ＵＳＹ、モルデナイト、フェリエライトまたはそれらの組み合わせを含んでなる、請求項１〜７のいずれか１項に記載の方法。
【請求項９】
前記水素化脱硫／脱酸素触媒が、Ｆｅ、ＣｏおよびＮｉから選択される少なくとも１つの第ＶＩＩＩ族金属酸化物と、ＭｏおよびＷから選択される少なくとも１つの第ＶＩＢ族金属酸化物とを含んでなる、請求項１〜８のいずれか１項に記載の方法。
【請求項１０】
前記水素化脱硫／脱酸素触媒が、アルミナ、シリカおよびシリカアルミナから選択される担体をさらに含んでなる、請求項１〜９のいずれか１項に記載の方法。
【請求項１１】
前記第１の水素化処理条件が、約５００°Ｆ（約２６０℃）〜約８００°Ｆ（約４２７℃）の重量平均床温度（ＷＡＢＴ）、約３００ｐｓｉｇ（約２．１ＭＰａｇ）〜約３０００ｐｓｉｇ（約２０．７ＭＰａｇ）の全圧力、約０．１時間−１〜約２０時間−１のＬＨＳＶ、約５００ｓｃｆ／ｂｂｌ（約８９ｍ３／ｍ３）〜約１００００ｓｃｆ／ｂｂｌ（約１７８１ｍ３／ｍ３）の水素処理ガス速度、および２ｐｓｉａよりも高い水の分圧のうち１つ以上を含む、請求項１〜１０のいずれか１項に記載の方法。
【請求項１２】
前記第２の水素化処理条件が、約５００°Ｆ（約２６０℃）〜約８００°Ｆ（約４２７℃）の重量平均床温度（ＷＡＢＴ）、約３００ｐｓｉｇ（約２．１ＭＰａｇ）〜約３０００ｐｓｉｇ（約２０．７ＭＰａｇ）の全圧力、約０．１時間−１〜約２０時間−１のＬＨＳＶ、および２ｐｓｉａよりも高い水の分圧のうち１つ以上を含む、請求項１〜１１のいずれか１項に記載の方法。
【請求項１３】
前記炭化水素原料が、８０重量％〜約９８重量％の前記鉱油成分と、２重量％〜約２０重量％の前記バイオマス油成分とを含有し、前記鉱油成分が少なくとも５００ｐｐｍｗの硫黄を含有し、かつ前記反応器流出物生産物が１００ｐｐｍｗ未満の硫黄を含有する、請求項１〜１２のいずれか１項に記載の方法。
【請求項１４】
前記バイオマス油成分が、藻類から誘導される、請求項１〜１３のいずれか１項に記載の方法。
【請求項１５】
前記炭化水素原料が、少なくとも約２００°Ｆ（９３℃）のＴ５沸点および約８００°Ｆ（４２７℃）未満のＴ９５沸点を有する、請求項１〜１４のいずれか１項に記載の方法。
【請求項１６】
前記少なくとも１つの液体モーター燃料生産物が、前記反応器流出物生産物のディーゼル沸騰範囲フラクションから製造され、前記ディーゼル沸騰範囲フラクションの雲点が０℃未満であり、前記反応器流出物生産物が、前記炭化水素原料の分枝（イソ−）パラフィン含有量よりも少なくとも２０重量％高い分枝（イソ−）パラフィン含有量を有する、請求項１〜１５のいずれか１項に記載の方法。
【請求項１７】
前記脱ろう触媒が、ＺＳＭ−４８と、前記ＺＳＭ−４８の重量に基づき、約０．１重量％〜約３．０重量％の金属含有量を有するパラジウムおよび白金から選択される第ＶＩＩＩ族金属と、チタニア結合剤とを含んでなる、請求項１および８〜１６のいずれか１項に記載の方法。
【請求項１８】
前記脱ろう触媒が、ＺＳＭ−４８と、前記ＺＳＭ−４８の重量に基づき、約０．５重量％〜約２０重量％の第ＶＩＩＩ族金属含有量を有するニッケル、コバルトおよび鉄から選択される第ＶＩＩＩ族非貴金属と、前記ＺＳＭ−４８の重量に基づき、約３重量％〜約２５重量％の第ＶＩＢ族金属含有量を有するモリブデンおよびタングステンから選択される第ＶＩＢ族金属と、チタニア結合剤とを含んでなる、請求項１および８〜１６のいずれか１項に記載の方法。
【発明の詳細な説明】
【技術分野】
【０００１】
（発明の分野）
本発明は、単一反応器形状における硫黄含有鉱油およびバイオマス由来原料の両方を含有する供給流の処理方法に関する。この処理によって、脱硫され、脱酸素され、かつ脱ろうされた炭化水素生産物であって、酸素含有量が低く、イソ−パラフィン含有量が高く、ｎ−パラフィン含有量が低く、かつ良好な低温流れ特性を有するものが製造される。
【背景技術】
【０００２】
（背景）
化石炭素資源の入手可能性が低下するなか、炭化水素をベースとする燃料および化学ベースストックとして使用するための他の資源に対する要求が増加している。バイオマス原料は、この点で、それらが再生可能であり、かつＣＯ２ニュートラルであることが可能であるため、非常に大きな可能性を示す。しかしながら、原油（それに「鉱油」は誘導され得る）とは対照的に、バイオマスおよびバイオマス由来材料は、典型的に高濃度酸素化物を含有する。ほとんどの場合、酸素原子は脱酸素処理の間に水として除去され、熱分解油などのいくつかの場合、原材料はすでに多量の水を含有する。
【０００３】
存在する問題は、ほとんどの既存の精製装置処理および関連装置が、原油のみ、または「鉱油」をベースとする原料のみを処理するために設計されているということである。バイオマス由来原料の処理には、しばしば、これらの原料をモーター燃料（又は内燃機関用燃料）および化学原料に変換するために別々の処理工程、装置および触媒が必要とされ、そしてそのようなプロセスは、これらの従来の（鉱油）原料の共処理に適合性であり得ない。鉱物をベースとする原料を厳密に処理するために設計された既存の精製装置システムは、バイオマス由来原料および従来の原料を別々に取り扱うための専用のプロセスを考慮して設計されていない。そのような費用は抑制的であろう。
【０００４】
現在、様々な国において、モーター燃料プールの一部がバイオマス成分から誘導されることを義務づける多くの様々な法令がある。しかしながら、これらの要求されたパーセントのほとんどは小さく（典型的にバイオマス／生物燃料に基づく燃料組成の約５〜２０％）、原油／鉱油がなお燃料組成の大多数を占めている。
【０００５】
このことは、従来の粗製処理精製装置に、検討されたように従来の精製装置、プロセスおよび触媒としばしば適合不可能なこれらの鉱油／バイオマス原料を共処理するための新規プロセスおよび触媒を発明することを強要する。さらなる制限的な要因は、経済的な側面において、既存のプロセス装置を追加するか、または相当に変更するための有意な追加資金を精製装置に投資することに抑制的であることである。これは、鉱油をベースとする原料をモーター燃料、化学原料および他の炭化水素生産物に改質するために設計される既存のプロセス形状を有意に変更することに対する制限を含む。限られた土地空間などの他の制限は、関連するプロセス装置の有意な変更／追加をさらに抑制し得る。特に高価かつ抑制的な費用は、そのような混合原料を別々に改質するための鉱油の水素化に関連した高圧反応器を追加または置き換えるために必要とされるものである。
【０００６】
上記の通り、ほとんどのバイオマス由来原料、または従来の原料と混合されたそれらの一部の処理には、本来的にバイオマス原料にある酸素の除去が必要とされる。この課題は、ほとんどの粗製原料が相当の量の酸素を含有しないため、従来の精製プロセスにおいて対処されなかった。
【０００７】
水は、従来の精製装置型プロセスにおいて使用される多くの触媒系に対して不活性化効果を有することが知られている。アルミナを含有する触媒は、非常に低濃度でさえ（パートパーミリオン範囲で）、水に非常に感応性であることが知られている。脱酸素に有効な触媒組成物を記載するいくつかの従来技術の参照文献にも、原料において低酸素濃度を維持することの必要が示されている。
【０００８】
例えば、Ｊ．Ｈａｎｃｓｏｋらによる論文である非特許文献１には、酸素含有原料を異性化するために使用される金属／ゼオライト触媒が記載されている。この触媒はアルミナと結合し、原料中の１％以上の酸素化物含有量が５０％の酸性度損失を生じ、変換活性の低下を示すことが記載されている。さらに、Ｏ．Ｖ．Ｋｉｋｈｔｙａｎｉｎらによる論文である非特許文献２には、アルミナに結合した金属／ＳＡＰＯ触媒が記載されており、これはヒマワリ油の水素化転化のために使用される。急速な不活性化は、（非酸素化炭化水素濃度と比較して）高い酸素化物濃度と同時に観察されたことが記載されるが、研究の目標は、そのような課題を軽減した処理条件を見出すことであった。
【０００９】
実際に、アルミナを含有する触媒は、ヘテロ原子除去（例えば脱酸素）および異性化などの多くの必要なプロセスのために最も有効な触媒のうちの１つである可能性がある。そのような触媒の水によって誘導された不活性化は、数多くの機構（例えば、特に、焼結、酸性部位の滴定、競合吸着、ゼオライト支持脱アルミニウムおよび機械的安定性の低下）を経由して生じることが可能であり、そして生物燃料および他のバイオマス由来生産物に対する要求の増加のため、そのような不活性化は、ますます重要な課題となるであろう。
【００１０】
鉱油およびバイオマスの両方の混合物を含有する原料の共処理によって存在する有意な課題は、組み合わせた原料から有意な量の酸素および結果として生じる水（それはバイオマス成分と典型的に関連する）を同時に除去しながら、組み合わせた原料から有意な量の硫黄（それは鉱油成分と典型的に関連する）を除去する必要がなおあることである。上記の通り、所与の精製装置プロセスおよび触媒系においてこれらを同時に達成することは、主に触媒の不安定性および／または触媒系における水素化脱硫効率の有意な損失のため、適切ではない結果をもたらした。
【先行技術文献】
【非特許文献】
【００１１】
【非特許文献１】Ｍｉｃｒｏｐｏｒｏｕｓ  ａｎｄ  Ｍｅｓｏｐｏｒｏｕｓ  Ｍａｔｅｒｉａｌｓ，１０１（２００７），１４８−１５２
【非特許文献２】Ｆｕｅｌ，８９（２０１０），３０８５−３０９２
【発明の概要】
【発明が解決しようとする課題】
【００１２】
バイオマス含有量、酸素含有量、硫黄含有量および雲点などの精製装置のスペックを満たす燃料生産物を達成するために既存の装置およびプロセスの制約の範囲内で機能しながら、鉱油およびバイオマスの両方の混合物を含有する原料を共処理するための精製装置が直面するこのような課題の解決が当該産業において必要とされている。
【課題を解決するための手段】
【００１３】
（本発明の好ましい実施形態の要旨）
ここで、本発明の実施形態は、既存の精製装置設備の使用を最大化しながら、バイオマス含有量、酸素含有量、硫黄含有量および雲点などの精製装置のスペック（又は仕様）を満たす燃料生産物（又は燃料製品）を達成するために、既存の鉱油精製装置が、鉱油およびバイオマスの両方の混合物を含有する原料（又はフィードストック）を共処理することを可能にするプロセスおよび触媒溶液である。
【００１４】
一実施形態において、少なくとも１つの液体モーター燃料生産物（又は液体の内燃機関用燃料製品）を形成するための、鉱油成分およびバイオマス油成分を含んでなる炭化水素原料（又は炭化水素フィードストック）の処理方法であって、当該方法は、
ａ）前記炭化水素原料よりも少ない有機結合硫黄（organically bound sulfur）および前記炭化水素原料よりも少ない有機結合酸素（organically bound oxygen）を含有する第１の反応領域流出物（first reaction zone effluent）を製造するために十分な第１の水素化処理条件下（first hydroprocessing conditions）で、水素化処理反応器の第１の反応領域において、前記炭化水素原料および第１の水素処理ガス流を、水素化脱硫／脱酸素触媒と接触させる工程と、
ｂ）第２の反応領域流出物（second reaction zone effluent）を製造するために十分な第２の水素化処理条件下（second hydroprocessing conditions）で、前記水素化処理反応器の第２の反応領域において、前記第１の反応領域流出物を脱ろう触媒と接触させる工程と、
ｃ）前記炭化水素原料よりも低い硫黄含有量および前記炭化水素原料よりも低い酸素含有量を有する反応器流出物生産物（reactor effluent product）を製造するために、気相生産物流を前記第２の反応領域流出物から分離する工程と、
ｄ）前記反応器流出物生産物の少なくとも一部から少なくとも１つの液体モーター燃料生産物を製造する工程と
を含んでなり、
前記脱ろう触媒は、ゼオライト担体と、その上に堆積（又は析出）された１つ以上の第ＶＩＢ族金属および第ＶＩＩＩ族金属を含んでなる少なくとも１つの活性金属化合物と、（Ａ）チタン、ジルコニウム、バナジウム、モリブデン、マンガンおよびセリウムから選択される１つ以上の金属の酸化物、炭化物、窒化物、リン化物、硫化物またはそれらの組み合わせ、（Ｂ）活性炭、ならびに（Ｃ）チタン、ジルコニウム、バナジウム、モリブデン、マンガンおよびセリウムから選択される１つ以上の金属がその上に堆積（又は析出）された炭素のうち１つ以上を含んでなる、親水性で水熱安定性の結合剤（又はバインダ）とを含んでなる。
【００１５】
好ましい実施形態において、前記脱ろう触媒の前記結合剤は、ジルコニア、バナジア、チタニア、酸化モリブデン、酸化マンガン、酸化セリウム、炭素またはそれらの組み合わせを含んでなる。一方、より好ましい実施形態において、前記脱ろう触媒の前記結合剤は、チタン、ジルコニウム、バナジウム、モリブデン、マンガンおよびセリウムから選択される１つ以上の金属を含んでなる。一方、最も好ましい実施形態において、前記脱ろう触媒の前記結合剤は、チタンを含んでなる。
【００１６】
他の好ましい実施形態において、前記脱ろう触媒の前記ゼオライト担体は、ＺＳＭ−５、ＺＳＭ−２２、ＺＳＭ−２３、ＺＳＭ−３５、ＺＳＭ−４８、ゼオライトベータ、ゼオライトＹ、ＵＳＹ、モルデナイト、フェリエライトまたはそれらの組み合わせを含んでなる。他の実施形態において、前記水素化脱硫／脱酸素触媒は、Ｆｅ、ＣｏおよびＮｉから選択される少なくとも１つの第ＶＩＩＩ族金属酸化物と、ＭｏおよびＷから選択される少なくとも１つの第ＶＩ族金属酸化物と、アルミナ、シリカおよびシリカアルミナから選択される担体とを含んでなる。
【００１７】
他の好ましい実施形態において、少なくとも１つの液体モーター燃料生産物は、前記反応器流出物生産物の雲点が０℃未満であるディーゼル沸騰範囲フラクション（diesel boiling range fraction）から製造される。
【００１８】
好ましい実施形態において、前記炭化水素原料は、８０重量％〜約９８重量％の前記鉱油成分と、２重量％〜約２０重量％の前記バイオマス油成分とを含有し、前記鉱油成分は少なくとも５００ｐｐｍｗの硫黄を含有し、そして前記反応器流出物生産物は１００ｐｐｍｗ未満の硫黄を含有する。他の好ましい実施形態において、第２の水素化処理条件は、２ｐｓｉａよりも高いか、５ｐｓｉａよりも高いか、または１０ｐｓｉａよりも高い水の分圧（water partial pressure）を含む。
【図面の簡単な説明】
【００１９】
【図１】本発明の水素化処理反応器システムおよび関連する生産物分離システムの第１の実施形態の単純化されたプロセススキームを例示する。
【図２】本発明の水素化処理反応器システムおよび関連する生産物分離システムの第２の実施形態の単純化されたプロセススキームを例示する。
【図３】同一の金属および担体成分を有するが、結合剤成分が異なる２種の異なる触媒組成物を使用して変換されたステアリン酸原料の比較ＧＣ−ＭＳスペクトルを示す。
【発明を実施するための形態】
【００２０】
（実施形態の詳細な説明）
本発明は、単一水素化処理反応器において２部触媒系を利用して、鉱油成分およびバイオマス油成分を含んでなる炭化水素原料から、脱硫され、脱酸素され、かつ脱ろうされた炭化水素モーター燃料生産物流を製造するためのプロセスおよび触媒に関する。好ましくは、既存の従来の（鉱油）精製プロセスを、鉱油およびバイオマス油成分の両方を含んでなる炭化水素原料を精製するプロセスに経済的に改良するために、本明細書のプロセスに既存の精製装置の水素化処理反応器を利用することができる。
【００２１】
原料（又はフィードストック）
本発明のプロセスおよび触媒は、鉱油（または「従来油」）成分およびバイオマス油（または「バイオマス」または「バイオマス由来」または「バイオフィード」）成分の両方を含んでなる混合された炭化水素原料を処理するために設計される。
【００２２】
一実施形態において、炭化水素原料は、少なくとも約２００°Ｆ（９３℃）、または少なくとも約２５０°Ｆ（１２１℃）、または少なくとも約３００°Ｆ（１４９℃）、または少なくとも約３５０°Ｆ（１７７℃）、または少なくとも約４００°Ｆ（２０４℃）、または少なくとも約４５０°Ｆ（２３２℃）の初期沸点を有することができる。ケロシンまたは他のより軽い蒸留物成分が原料に含まれるか量次第で、初期沸騰は広範囲に異なることができる。もう１つの実施形態において、炭化水素原料は、約８００°Ｆ（４２７℃）以下、または約７５０°Ｆ（３９９℃）以下、または約７００°Ｆ（３７１℃）以下の最終的な沸点を有することができる。あるいは、重質ディーゼルフラクションおよび別の底部フラクションを製造するために分留が使用される実施形態において、最終的な沸点は、約１１００°Ｆ（５９３℃）以下、または約１０００°Ｆ（５３８℃）以下、または約９００°Ｆ（４８２℃）以下であることができる。原料を特徴づける別の方法は、原料の特定のパーセントを沸騰させるために要求される沸点に基づく。例えば、原料の少なくとも５重量％を沸騰させるために要求される温度は、「Ｔ５」沸点と呼ばれる。Ｔ５沸点に基づいて原料を特徴づける場合、原料は、少なくとも約２００°Ｆ（９３℃）、または少なくとも約２５０°Ｆ（１２１℃）、または少なくとも約３００°Ｆ（１４９℃）、または少なくとも約３５０°Ｆ（１７７℃）、または少なくとも約４００°Ｆ（２０４℃）、または少なくとも約４５０°Ｆ（２３２℃）のＴ５沸点を有することができる。もう１つの実施形態において、原料は、約８００°Ｆ（４２７℃）以下、または約７５０°Ｆ（３９９℃）以下、または約７００°Ｆ（３７１℃）以下のＴ９５沸点を有することができる。適切な原料の例は、様々な常圧および／または減圧軽油原料、ディーゼル沸騰範囲原料およびそれらの混合物に相当する原料を含む。
【００２３】
一実施形態において、炭化水素原料は、提供された炭化水素原料の全重量に基づき、少なくとも０．５重量％、より好ましくは１重量％、例えば、少なくとも２重量％、少なくとも３重量％、少なくとも４重量％、少なくとも５重量％、少なくとも１０重量％、少なくとも２０重量％、少なくとも３０重量％、少なくとも４０重量％、少なくとも５０重量％、少なくとも６０重量％、少なくとも７０重量％、少なくとも８０重量％、少なくとも９０重量％、少なくとも９５重量％または少なくとも９９重量％のバイオマスを含むことができる。
【００２４】
好ましくは、バイオマス成分は、炭化水素原料の約２重量％〜約２０重量％、またはより好ましくは約５重量％〜約１５重量％である。他の好ましい実施形態において、鉱油成分は、炭化水素原料の約８０重量％〜約９８重量％、またはより好ましくは約８５重量％〜約９５重量％である。
【００２５】
鉱油成分（又はミネラルオイル成分）
本発明のプロセスおよび触媒は、鉱油（または「従来油」）成分およびバイオマス（または「バイオマス由来」）成分の両方を含んでなる混合炭化水素原料を処理するために設計される。鉱油成分は、原油、タールサンドビチューメンなどの「非再生可能な」化石／鉱油備蓄、ならびにタールサンドビチューメン、石炭または油母頁岩から誘導される液体炭化水素流から誘導される成分である。鉱油のこれらの供給の製造および置き換えのために要求される時間枠が少なくとも数千年であるため、これらは「非再生可能な」資源と考えられる。鉱油の例には、限定されないが、直留（常圧）軽油、減圧軽油、脱金属化油、コーカー蒸留物、接触分解蒸留物、重質ナフサ、ディーゼル沸騰範囲蒸留物フラクション、ジェット燃料沸騰範囲蒸留物フラクション、ケロシン沸騰範囲蒸留物フラクションおよび石炭液体が含まれる。原料の鉱油部分は、これらの例の流れのいずれか１つまたはそれらのいずれかの組み合わせを含んでなることができる。
【００２６】
本発明の好ましい実施形態において、鉱油成分は、少なくとも２５０ｐｐｍｗの硫黄を含有する。より好ましくは、本明細書のプロセスにおいて、鉱油成分は、少なくとも５００ｐｐｍｗ、または少なくとも１，０００ｐｐｍｗ、または少なくとも５，０００ｐｐｍｗ、または少なくとも１０，０００ｐｐｍｗの硫黄を含有する。鉱油成分に存在する硫黄のほとんどは、有機結合硫黄である。
【００２７】
バイオマス成分
一般に、バイオマス成分を構成する生物学的材料には、植物性脂肪／油、動物性脂肪／油、魚油、熱分解油および藻類脂質／油、ならびにそのような材料の成分が含まれる。いくつかの実施形態において、バイオマスは、典型的に水中で不溶性であるが、非極性（または脂肪）溶媒中で可溶性である生物学的化合物である１種以上の脂質化合物を含むことができる。そのような溶媒の非限定的な例には、アルコール、エーテル、クロロホルム、酢酸アルキル、ベンゼンおよびそれらの組み合わせが含まれる。
【００２８】
脂質の主要な種類としては、必ずしも限定されないが、脂肪酸、グリセロール由来脂質（脂肪、油およびリン脂質を含む）、スフィンゴシン由来脂質（セラミド、セレブロシド、ガングリオシドおよびスフィンゴミエリンを含む）、ステロイドおよびそれらの誘導体、テルペンおよびそれらの誘導体、脂溶性ビタミン、ある種の芳香族化合物、ならびに長鎖アルコールおよびワックスが含まれる。
【００２９】
生体において、脂質は、一般に、細胞膜の基礎として、そして燃料貯蔵の形態として機能する。脂質は、リポタンパク質およびリポ多糖類の形態などで、タンパク質または炭水化物との複合体としても見ることができる。
【００３０】
本発明に従って使用することができる植物油の例としては、限定されないが、菜種（キャノーラ）油、大豆油、ココヤシ油、ヒマワリ油、パーム油、パーム核油、落花生油、亜麻仁油、トール油、トウモロコシ油、ヒマシ油、ジャトロファ油、ホホバ油、オリーブ油、フラックスシード油、カメリナ油、サフラワー油、ババスーヤシ油、タロー油および米糠油が含まれる。
【００３１】
本明細書で参照される植物油は、加工植物油材料を含むこともできる。加工植物油材料の非限定的な例には、脂肪酸および脂肪酸アルキルエステルが含まれる。アルキルエステルは、典型的にＣ１〜Ｃ５アルキルエステルを含む。１種以上のメチル、エチルおよびプロピルエステルが好ましい。
【００３２】
本発明に従って使用することができる動物性脂肪の例には、限定されないが、牛脂（タロー）、豚脂（ラード）、ターキー脂、魚脂／油および鶏脂が含まれる。動物性脂肪は、レストランおよび肉製造設備を含むいずれかの適切な供給源から得ることができる。
【００３３】
本明細書で参照される動物性脂肪は、加工動物性脂肪材料を含むこともできる。加工動物性脂肪材料の非限定的な例には、脂肪酸および脂肪酸アルキルエステルが含まれる。アルキルエステルは、典型的にＣ１〜Ｃ５アルキルエステルを含む。１種以上のメチル、エチルおよびプロピルエステルが好ましい。
【００３４】
藻類油または脂質は、膜成分、貯蔵産物および代謝物質の形態で藻類に典型的に含有される。ある種の藻類株、特にケイソウおよびシアノバクテリアなどの微細藻類は、比例して高濃度の脂質を含有する。藻類油のための藻類供給源は、バイオマス自体の全重量に基づき、様々な量、例えば、２重量％〜４０重量％の脂質を含有することができる。追加的に、または代わりとして、藻類は、脂質ではない、例えば、ワックスエステル、脂肪ケトン、脂肪アルデヒド、脂肪アルコールなどの酸素化炭化水素を含有する油を製造するために遺伝子組み替えされることができる。さらに追加的に、または代わりとして、藻類は、非酸素化炭化水素を製造するために遺伝子組み替えされることができる。そのような場合、遺伝子組み替えのため、藻類は、実際に、油材料含有量の増加を示し得、そして／またはそのような油材料は有利なことに、従来のバイオマスで観測可能および／または達成可能な含有量と比較して、酸素含有量が低下し得る。
【００３５】
藻類油のための藻類供給源には、限定されないが、単細胞および多細胞藻類が含まれる。そのような藻類の例には、紅藻類（ｒｈｏｄｏｐｈｙｔｅ）、緑藻類（ｃｈｌｏｒｏｐｈｙｔｅ）、ヘテロコント藻類（ｈｅｔｅｒｏｋｏｎｔｏｐｈｙｔｅ）、トリポ藻類（ｔｒｉｂｏｐｈｙｔｅ）、灰色藻（ｇｌａｕｃｏｐｈｙｔｅ）、クロララクニオ藻（ｃｈｌｏｒａｒａｃｈｎｉｏｐｈｙｔｅ）、ユーグレナ藻（ｅｕｇｌｅｎｏｉｄ）、ハプト藻（ｈａｐｔｏｐｈｙｔｅ）、クリプトモナド（ｃｒｙｐｔｏｍｏｎａｄ）、ジノフラゲラム（ｄｉｎｏｆｌａｇｅｌｌｕｍ）、植物プランクトンなど、およびそれらの組み合わせが挙げられる。一実施形態において、藻類は、緑藻綱（Ｃｈｌｏｒｏｐｈｙｃｅａｅ）および／またはハプト藻類（Ｈａｐｔｏｐｈｙｔａ）であることができる。具体的な種としては、限定されないが、ネオクロリス・オレオアバンダンス（Ｎｅｏｃｈｌｏｒｉｓ  ｏｌｅｏａｂｕｎｄａｎｓ）、スセネデスム・ジモルファス（Ｓｃｅｎｅｄｅｓｍｕｓ  ｄｉｍｏｒｐｈｕｓ）、ユーグレナ・グラシリス（Ｅｕｇｌｅｎａ  ｇｒａｃｉｌｉｓ）、海洋性珪藻（Ｐｈａｅｏｄａｃｔｙｌｕｍ  ｔｒｉｃｏｒｎｕｔｕｍ）、プレウロクリシス・カルテラエ（Ｐｌｅｕｒｏｃｈｒｙｓｉｓ  ｃａｒｔｅｒａｅ）、プリムネシウム・パルバム（Ｐｒｙｍｎｅｓｉｕｍ  ｐａｒｖｕｍ）、テトラテルミス・チュイ（Ｔｅｔｒａｓｅｌｍｉｓ  ｃｈｕｉ）、およびクラミドモナス・レインハルトチイ（Ｃｈｌａｍｙｄｏｍｏｎａｓ  ｒｅｉｎｈａｒｄｔｉｉ）が挙げられる。追加的または代わりの藻類の非限定的な例としては、限定されないが、アクナンテス（Ａｃｈｎａｎｔｈｅｓ）、アンフィブローラ（Ａｍｐｈｉｐｒｏｒａ）、アンフォラ（Ａｍｐｈｏｒａ）、アンキストロデスモス（Ａｎｋｉｓｔｒｏｄｅｓｍｕｓ）、アステロモナス（Ａｓｔｅｒｏｍｏｎａｓ）、ボエケロヴィア（Ｂｏｅｋｅｌｏｖｉａ）、ボロディネラ（Ｂｏｒｏｄｉｎｅｌｌａ）、ボツリオコッカス（Ｂｏｔｒｙｏｃｏｃｃｕｓ）、ブラクテオコッカス（Ｂｒａｃｔｅｏｃｏｃｃｕｓ）、カエトセロス（Ｃｈａｅｔｏｃｅｒｏｓ）、カルテリア（Ｃａｒｔｅｒｉａ）、クラミドモナス（Ｃｈｌａｍｙｄｏｍｏｎａｓ）、クロロコッカム（Ｃｈｌｏｒｏｃｏｃｃｕｍ）、クロロゴニウム（Ｃｈｌｏｒｏｇｏｎｉｕｍ）、クロレラ（Ｃｈｌｏｒｅｌｌａ）、クロオモナス（Ｃｈｒｏｏｍｏｎａｓ）、クリソスファエラ（Ｃｈｒｙｓｏｓｐｈａｅｒａ）、クリコスファエラ（Ｃｒｉｃｏｓｐｈａｅｒａ）、クリプテコディニウム（Ｃｒｙｐｔｈｅｃｏｄｉｎｉｕｍ）、クリプトモナス（Ｃｒｙｐｔｏｍｏｎａｓ）、サイクロテラ（Ｃｙｃｌｏｔｅｌｌａ）、ドナリエラ（Ｄｕｎａｌｉｅｌｌａ）、エリプソイドン（Ｅｌｌｉｐｓｏｉｄｏｎ）、エミリアニア（Ｅｍｉｌｉａｎｉａ）、エレモスファエラ（Ｅｒｅｍｏｓｐｈａｅｒａ）、エルノデスミウス（Ｅｒｎｏｄｅｓｍｉｕｓ）、ユーグレナ（Ｅｕｇｌｅｎａ）、フランセイア（Ｆｒａｎｃｅｉａ）、フラギラリア（Ｆｒａｇｉｌａｒｉａ）、グロエオサムニオン（Ｇｌｏｅｏｔｈａｍｎｉｏｎ）、ハエマトコッカス（Ｈａｅｍａｔｏｃｏｃｃｕｓ）、ハロカフェテリア（Ｈａｌｏｃａｆｅｔｅｒｉａ）、��メノモナス（Ｈｙｍｅｎｏｍｏｎａｓ）、イソクリシス（Ｉｓｏｃｈｒｙｓｉｓ）、レポシンクリス（Ｌｅｐｏｃｉｎｃｌｉｓ）、ミクラクチニウム（Ｍｉｃｒａｃｔｉｎｉｕｍ）、モノラフィディウム（Ｍｏｎｏｒａｐｈｉｄｉｕｍ）、ナンノクロリス（Ｎａｎｎｏｃｈｌｏｒｉｓ）、ナンノクロロプシス（Ｎａｎｎｏｃｈｌｏｒｏｐｓｉｓ）、ナビクラ（Ｎａｖｉｃｕｌａ）、ネオクロリス（Ｎｅｏｃｈｌｏｒｉｓ）、ネフロクロリス（Ｎｅｐｈｒｏｃｈｌｏｒｉｓ）、ネフロセルミス（Ｎｅｐｈｒｏｓｅｌｍｉｓ）、ニツスチア（Ｎｉｔｚｓｃｈｉａ）、オクロモナス（Ｏｃｈｒｏｍｏｎａｓ）、オエドゴニウム（Ｏｅｄｏｇｏｎｉｕｍ）、オオサイスティス（Ｏｏｃｙｓｔｉｓ）、オストレオコッカス（Ｏｓｔｒｅｏｃｏｃｃｕｓ）、パブロバ（Ｐａｖｌｏｖａ）、パラクロレラ（Ｐａｒａｃｈｌｏｒｅｌｌａ）、パスケリア（Ｐａｓｃｈｅｒｉａ）ファエオダクチルム（Ｐｈａｅｏｄａｃｔｙｌｕｍ）、ファグス（Ｐｈａｇｕｓ）、プラティモナス（Ｐｌａｔｙｍｏｎａｓ）、プレウロクリシス（Ｐｌｅｕｒｏｃｈｒｙｓｉｓ）、プレウロコッカス（Ｐｌｅｕｒｏｃｏｃｃｕｓ）、プロトテカ（Ｐｒｏｔｏｔｈｅｃａ）、シュードクロレラ（Ｐｓｅｕｄｏｃｈｌｏｒｅｌｌａ）、プラミモナス（Ｐｙｒａｍｉｍｏｎａｓ）、ピロボツリス（Ｐｙｒｏｂｏｔｒｙｓ）、セネデスムス（Ｓｃｅｎｅｄｅｓｍｕｓ）、シゾキトリウム（Ｓｃｈｉｚｏｃｈｙｔｒｉｕｍ）、スケレトネマ（Ｓｋｅｌｅｔｏｎｅｍａ）、スピロギラ（Ｓｐｙｒｏｇｙｒａ）、スチココッカス（Ｓｔｉｃｈｏｃｏｃｃｕｓ）、テトラセルミス（Ｔｅｔｒａｓｅｌｍｉｓ）、スラウストキトリウム（Ｔｈｒａｕｓｔｏｃｈｙｔｒｉｕ）、ヴィリディエラ（Ｖｉｒｉｄｉｅｌｌａ）およびボルボックス（Ｖｏｌｖｏｘ）種が挙げられる。
【００３６】
シアノバクテリア種が含まれ、それに由来して本明細書において藻類油として認められる油が単離／誘導できる、原核生物（野生型であっても、遺伝子操作されているものであってもよい）のその他の例には、限定されないが、以下のアグメネルム（Ａｇｍｅｎｅｌｌｕｍ）、アナバエナ（Ａｎａｂａｅｎａ）、アナバエノプシス（Ａｎａｂａｅｎｏｐｓｉｓ）、アナシスティス（Ａｎａｃｙｓｔｉｓ）、アファニゾメノン（Ａｐｈａｎｉｚｏｍｅｎｏｎ）、アルスロスピラ（Ａｒｔｈｒｏｓｐｉｒａ）、アステロカプサ（Ａｓｔｅｒｏｃａｐｓａ）、ボリジア（Ｂｏｒｚｉａ）、カロスリックス（Ｃａｌｏｔｈｒｉｘ）、チャメシフォン（Ｃｈａｍａｅｓｉｐｈｏｎ）、クロログロエオプシス（Ｃｈｌｏｒｏｇｌｏｅｏｐｓｉｓ）、クロオコッキディオプシス（Ｃｈｒｏｏｃｏｃｃｉｄｉｏｐｓｉｓ）、クロオコッカス（Ｃｈｒｏｏｃｏｃｃｕｓ）、クリナリウム（Ｃｒｉｎａｌｉｕｍ）、シアノバクテリウム（Ｃｙａｎｏｂａｃｔｅｒｉｕｍ）、シアノビウム（Ｃｙａｎｏｂｉｕｍ）、シアノシスティス（Ｃｙａｎｏｃｙｓｔｉｓ）、シアノスピラ（Ｃｙａｎｏｓｐｉｒａ）、シアノセイス（Ｃｙａｎｏｔｈｅｃｅ）シリンドロスペルモプシス（Ｃｙｌｉｎｄｒｏｓｐｅｒｍｏｐｓｉｓ）、シリンドロスペルマム（Ｃｙｌｉｎｄｒｏｓｐｅｒｍｕｍ）、ダクティロコッコプシス（Ｄａｃｔｙｌｏｃｏｃｃｏｐｓｉｓ）、デルモカルペラ（Ｄｅｒｍｏｃａｒｐｅｌｌａ）、フィシェレーラ（Ｆｉｓｃｈｅｒｅｌｌａ）、フレミエラ（Ｆｒｅｍｙｅｌｌａ）、ゲイトレリア（Ｇｅｉｔｌｅｒｉａ）、ゲイトレリネマ（Ｇｅｉｔｌｅｒｉｎｅｍａ）、グロエオバクター（Ｇｌｏｅｏｂａｃｔｅｒ）、グロエオカプサ（Ｇｌｏｅｏｃａｐｓａ）、グロエオセイス（Ｇｌｏｅｏｔｈｅｃｅ）、ハロスピルリナ（Ｈａｌｏｓｐｉｒｕｌｉｎａ）、エンガリエーラ（Ｉｙｅｎｇａｒｉｅｌｌａ）、レプトリングビア（Ｌｅｐｔｏｌｙｎｇｂｙａ）、リムノスリックス（Ｌｉｍｎｏｔｈｒｉｘ）、リングビア（Ｌｙｎｇｂｙａ）、ミクロコレウス（Ｍｉｃｒｏｃｏｌｅｕｓ）、ミクロシスティス（Ｍｉｃｒｏｃｙｓｔｉｓ）、ミクロサルシナ（Ｍｙｘｏｓａｒｃｉｎａ）、ノドゥラリア（Ｎｏｄｕｌａｒｉａ）、ノストク（Ｎｏｓｔｏｃ）、ノストクオプシス（Ｎｏｓｔｏｃｈｏｐｓｉｓ）、オシラトリア（Ｏｓｃｉｌｌａｔｏｒｉａ）、フォルミディウム（Ｐｈｏｒｍｉｄｉｕｍ）、プランクトリックス（Ｐｌａｎｋｔｏｔｈｒｉｘ）、プレウロカプサ（Ｐｌｅｕｒｏｃａｐｓａ）、プロクロロコッカス（Ｐｒｏｃｈｌｏｒｏｃｏｃｃｕｓ）、プロクロロン（Ｐｒｏｃｈｌｏｒｏｎ）、プロクロロスリックス（Ｐｒｏｃｈｌｏｒｏｔｈｒｉｘ）、シュードアナバエナ（Ｐｓｅｕｄａｎａｂａｅｎａ）、リヴラリア（Ｒｉｖｕｌａｒｉａ）、シゾスリックス（Ｓｃｈｉｚｏｔｈｒｉｘ）、シトネーマ（Ｓｃｙｔｏｎｅｍａ）、スピルリナ（Ｓｐｉｒｕｌｉｎａ）、スタニエリア（Ｓｔａｎｉｅｒｉａ）、スターリア（Ｓｔａｒｒｉａ）、スティゴネマ（Ｓｔｉｇｏｎｅｍａ）、シムプロカ（Ｓｙｍｐｌｏｃａ）、シネココッカス（Ｓｙｎｅｃｈｏｃｏｃｃｕｓ）、シネコシスティス（Ｓｙｎｅｃｈｏｃｙｓｔｉｓ）、トリポスリックス（Ｔｏｌｙｐｏｔｈｒｉｘ）、トリコデスミウム（Ｔｒｉｃｈｏｄｅｓｍｉｕｍ）、チコネマ（Ｔｙｃｈｏｎｅｍａ）、およびキセノコッカス（Ｘｅｎｏｃｏｃｃｕｓ）の種の１種以上が挙げられる。
【００３７】
いくつかの実施形態において、バイオマス成分は、脂肪酸アルキルエステルを含んでなることができる。そのような実施形態において、脂肪酸アルキルエステルは、好ましくは、脂肪酸メチルエステル（ＦＡＭＥ）、脂肪酸エチルエステル（ＦＡＥＥ）および／または脂肪酸プロピルエステルを含んでなることができる。
【００３８】
追加的に、または代わりとして、バイオマス成分は、少なくとも約１重量％、例えば、少なくとも約２重量％、少なくとも約３重量％、少なくとも約４重量％、少なくとも約５重量％、少なくとも約６重量％または少なくとも約８重量％の酸素を含むことができる。バイオマス成分に存在する酸素のほとんどは、有機結合酸素である。
【００３９】
反応器／プロセス（又は処理、工程もしくは製法）／触媒
本発明のプロセスは、好ましくは、鉱油成分およびバイオマス油成分を含んでなる炭化水素原料から、脱硫され、脱酸素され、かつ脱ろうされた炭化水素モーター燃料生産物流を製造するためのプロセスおよび触媒によって、少なくとも２種の触媒床を含んでなる単一反応器を利用する。好ましくは、本明細書に記載されるプロセスおよび触媒を利用することによって、既存の従来の（鉱油）精製プロセスを、硫黄含有鉱油および酸素含有バイオマス油成分の両方を含んでなる本明細書の炭化水素原料を精製するプロセスに経済的に改良するために、既存の精製装置の水素化処理反応器を利用することができる。
【００４０】
第１の反応領域（又は第１反応ゾーン）
本明細書のプロセスにおいて、第１の反応領域は、鉱油成分およびバイオマス油成分の両方を含んでなる組み合わせた炭化水素原料を水素化脱硫および脱酸素するために適切な第１の水素化処理条件下で操作される触媒を含有する。この第１の反応領域は、複数の触媒床を含有してもよい。しかしながら、この領域において、これらの触媒床の少なくとも１種は、「水素化脱硫／脱酸素触媒」を含んでなるか、または本明細書にさらに記載される場合、「第１の触媒」として本明細書に記載されてもよい。
【００４１】
この第１の触媒は、好ましくはアルミナ、シリカまたはシリカアルミナを含んでなる高表面積担体材料上で、好ましくは、少なくとも１種の第ＶＩＩＩ族金属の酸化物、好ましくはＦｅ、ＣｏおよびＮｉから選択される金属の酸化物、より好ましくはＣｏおよび／またはＮｉから選択される金属の酸化物、そして最も好ましくはＣｏの酸化物と、少なくとも１種の第ＶＩ族金属の酸化物、好ましくはＭｏおよびＷから選択される金属の酸化物、より好ましくはＭｏの酸化物とを含んでなる。他の適切な水素化脱硫／脱酸素触媒には、ゼオライト触媒、ならびに貴金属がＰｄおよびＰｔから選択される貴金属触媒が含まれる。好ましくは、水素化脱硫／脱酸素触媒の第ＶＩＩＩ族金属の酸化物は、触媒の重量に基づき、約０．１〜約２０重量％、好ましくは約１〜約１２重量％の範囲の量で存在する。第ＶＩ族金属の酸化物は、好ましくは、触媒の重量に基づき、約１〜約５０重量％、好ましくは約２〜約２０重量％の範囲の量で存在する。
【００４２】
本発明の実施において使用される水素化脱硫／脱酸素触媒は、好ましくは担持された触媒である。いずれかの適切な耐火性触媒担体材料、好ましくは無機酸化物担体材料を、本発明で利用する水素化脱硫／脱酸素触媒のための担体として使用することができる。適切な担体材料の非限定的な例には、ゼオライト、アルミナ、シリカ、チタニア、酸化カルシウム、酸化ストロンチウム、酸化バリウム、炭素、ジルコニア、珪藻土、酸化セリウム、酸化ランタン、酸化ネオジム、酸化イットリウムおよび酸化プラセオジムを含む酸化ランタニド、クロミア、酸化トリウム、ウラニア、ニオビア、タンタラ、酸化スズ、酸化亜鉛およびアルミニウムホスフェートが含まれる。アルミナ、シリカおよびシリカアルミナが好ましい。アルミナはより好ましい。
【００４３】
水素化処理反応器のこの第１の反応領域の好ましい条件には、原料よりも少ない有機結合硫黄および炭化水素原料よりも少ない有機結合酸素を含有する第１の反応領域流出物を製造するために十分な第１の水素化処理条件下で、炭化水素原料および第１の水素処理ガス流を、水素化脱硫／脱酸素触媒と接触させることを含む。
【００４４】
これらの第１の水素化処理条件は、約５００°Ｆ（約２６０℃）〜約８００°Ｆ（約４２７℃）、例えば、約５５０°Ｆ（約２８８℃）〜約７００°Ｆ（約３７１℃）の重量平均床温度（weight average bed temperature）（ＷＡＢＴ）、約３００ｐｓｉｇ（約２．１ＭＰａｇ）〜約３０００ｐｓｉｇ（約２０．７ＭＰａｇ）、例えば、約７００ｐｓｉｇ（約４．８ＭＰａｇ）〜約２０００ｐｓｉｇ（約１３．８ＭＰａｇ）の全圧力、約０．１時間−１〜約２０時間−１、例えば、約０．２時間−１〜約１０時間−１のＬＨＳＶ、および約５００ｓｃｆ／ｂｂｌ（約８９ｍ３／ｍ３）〜約１００００ｓｃｆ／ｂｂｌ（約１７８１ｍ３／ｍ３）、例えば、約７５０ｓｃｆ／ｂｂｌ（約１３４ｍ３／ｍ３）〜約７０００ｓｃｆ／ｂｂｌ（約１２４７ｍ３／ｍ３）、または約１０００ｓｃｆ／ｂｂｌ（約１７８ｍ３／ｍ３）〜約５０００ｓｃｆ／ｂｂｌ（約８９０ｍ３／ｍ３）の水素処理ガス速度の１つ以上を含むことができる。
【００４５】
「処理ガス」、「水素処理ガス」または「水素処理ガス流」という用語は、本明細書で使用される場合、純粋な水素、または一般に反応または生産物に不都合に干渉または影響を及ぼさない１種もしくはそれ以上の他のガス（例えば、窒素、メタンなどの軽質炭化水素など、およびそれらの組み合わせ）に加えて、意図された反応目的のために少なくとも十分である量で水素を含有する水素含有ガスのいずれかであることが可能であるガス流を意味する。Ｈ２Ｓ、ＮＨ３、ＣＯおよびＣＯ２などの不純物は典型的に望ましくなく、典型的に除去されるか、またはそれが反応器床／領域に送られる前に水素処理ガス中で所望の低濃度まで低下される。水素化処理反応器に導入された処理ガス流は、好ましくは少なくとも約５０体積％の水素を含有する。しかしながら、本明細書で利用される処理ガス流は、より好ましくは、少なくとも７５体積％の水素、より好ましくは少なくとも８５体積％の水素、または少なくとも９５体積％の水素を含有する。
【００４６】
第１の反応領域流出物は、好ましくは、炭化水素原料中に存在する有機結合硫黄の２５重量％未満、より好ましくは１０重量％未満、そして最も好ましくは５重量％未満を含有する。好ましい実施形態において、第１の反応領域流出物は、２５０ｐｐｍ未満、より好ましくは１００ｐｐｍ未満、さらにより好ましくは５０ｐｐｍ未満、そして最も好ましくは３０ｐｐｍ未満の有機結合硫黄を含有する。炭化水素供給流の有機硫黄含有量のほとんどは、この第１の反応器床においてＨ２Ｓに変換される。
【００４７】
第１の反応領域流出物は、また、好ましくは、炭化水素原料中に存在する有機結合酸素の５０重量％未満、より好ましくは２５重量％未満、そして最も好ましくは１０重量％未満を含有する。好ましい実施形態において、第１の反応領域流出物は、１０，０００ｐｐｍ未満、より好ましくは５，０００ｐｐｍ未満、さらにより好ましくは１，０００ｐｐｍ未満、そして最も好ましくは５００ｐｐｍ未満の有機結合酸素を含有する。有機酸素含有量のほとんどは、この第１の反応領域においてＨ２Ｏ（または蒸気の形態でもよい「水」）に変換される。実施形態において、第１の反応領域流出物の水の分圧（water partial pressure）は、これらの水素化処理条件下で２ｐｓｉａより高く、または５ｐｓｉａより高く、またはいくつかの例において、１０ｐｓｉａより高く、そしてこれらの条件は、本明細書のプロセスにおいて、水素化処理反応器の第２の反応領域で経験される。
【００４８】
第２の反応領域（又は第２反応ゾーン）
本明細書のプロセスにおいて、第１の反応領域流出物流の範囲内での反応成分を分離せずに、第１の反応領域流出物を第２の反応領域に通過させる。第２の水素処理ガス流などの追加的な流れは、第１の反応領域流出物と、水素化処理反応器の第２の反応領域に位置する触媒との接触の前、またはそれと同時に、第１の反応領域流出物に添加されてもよい。
【００４９】
本明細書のプロセスにおいて、第２の反応領域は、鉱油成分およびバイオマス油成分の両方を含んでなる組み合わせた炭化水素原料から誘導された第１の反応領域流出物を接触水素化脱ろうするために適切なプロセス条件下で操作される触媒を含有する。「接触水素化脱ろう」（または逆に「脱ろう）という用語が本明細書で使用される場合、少なくとも１２個以上の炭素原子（すなわち、「Ｃ１２＋」炭化水素）を含有するｎ−パラフィンを含む、炭化水素を含有するろう様分子が、触媒および過剰量の水素の存在下で、少なくとも部分的に異性体に変換される（すなわち、「異性体化される」）。この第２の反応領域は、複数の触媒床を含有してもよい。この第２の反応領域において、これらの触媒床の少なくとも１種は、「脱ろう触媒」を含んでなるか、または本明細書にさらに記載される場合、「第２の触媒」として本明細書に記載されてもよい。
【００５０】
得られた第１の反応領域流出物を脱ろうすることにおける特定の問題は、第１の反応領域から得られる流出物に存在する水反応生産物の高含有量である。上記の通り、従来の脱ろう触媒、特にアルミナ担持脱ろう触媒は物理的に不安定であるおそれがあり、触媒損失、ならびに相当する水素化転化効率の減少がもたらされる。
【００５１】
本発明による方法において有効となるため、第２の反応領域で利用される脱ろう触媒組成物は、物理的触媒損失を最小化し、かつ高変換効率を最大化／維持しながら、水素異性化／脱ろうが可能でなければならない。任意選択的に、本発明によって利用される脱ろう触媒組成物は、追加的に、第１の反応器床流出物を少なくとも部分的に水素化分解することが可能でもよい。本明細書に利用される耐水性脱ろう触媒組成物は、ゼオライト担体などの親水性の水熱安定性担体と、その上に堆積（又は析出）された１種以上の第ＶＩＢ族金属および第ＶＩＩＩ族金属を含んでなる少なくとも１種の活性金属化合物と、親水性の水熱安定性結合剤とを含んでなる。
【００５２】
本発明の脱ろう触媒において使用するゼオライト担体には、限定されないが、結晶質アルミノシリケートモレキュラーシーブおよび／または１−Ｄまたは３−Ｄモレキュラーシーブ（例えば、１０員環１−Ｄモレキュラーシーブ）が含まれる。適切な脱ろう触媒担体の例には、限定されないが、フェリエライト、モルデナイト、ＺＳＭ−５、ＺＳＭ−２２（シータワン（ｔｈｅｔａ  ｏｎｅ）またはＴＯＮとしても知られる）、ＺＳＭ−２３、ＺＳＭ−３５、ＺＳＭ−４８、ゼオライトベータ、ゼオライトＹ、ＵＳＹ、他の第ＩＩＡ族、第ＩＶＢ族、第ＶＢ族および／または第ＶＩＢ族酸化物、ならびにそれらの組み合わせ（例えば、ＺＳＭ−５、ＺＳＭ−２２、ＺＳＭ−２３、ＺＳＭ−３５、ＺＳＭ−４８およびそれらの組み合わせなどのモレキュラーシーブ、特に、ＺＳＭ−５、ＺＳＭ−４８および／またはＺＳＭ−２３などのモレキュラーシーブ）が含まれる。
【００５３】
典型的に金属水素化処理成分を含む少なくとも１種の活性金属化合物は、第ＶＩＩＩ族金属を含んでなることができる。適切な第ＶＩＩＩ族金属は、Ｐｔ、Ｐｄ、Ｎｉ、Ｃｏまたはそれらの組み合わせを含むことができる。いくつかの実施形態において、脱ろう触媒組成物は、少なくとも０．１重量％、例えば、少なくとも約０．３重量％、少なくとも約０．５重量％、少なくとも約１．０重量％、少なくとも約２．５重量％または少なくとも約５．０重量％の第ＶＩＩＩ族金属を含むことができる。追加的に、または代わりとして、触媒組成物は、約１０．０重量％以下、例えば、約５．０重量％以下、約２．５重量％以下、約１．５重量％以下、または約１．０重量％以下の第ＶＩＩＩ族金属を含むことができる。
【００５４】
いくつかの実施形態において、脱ろう触媒組成物は、追加の水素化処理成分として、Ｗおよび／またはＭｏなどの第ＶＩＢ族金属を含むことができる。典型的に、第ＶＩＢ族金属は、第ＶＩＩＩ族金属が（Ｎｉおよび／またはＣｏなどの）非貴金属を含んでなる場合に存在することができる。そのような実施形態の例は、ＮｉＷ、ＮｉＭｏまたはＮｉＭｏＷの金属を含む脱ろう触媒組成物である。存在する場合、脱ろう触媒組成物は、少なくとも約０．５重量％、例えば、少なくとも約１．０重量％、少なくとも約２．５重量％または少なくとも約５．０重量％の第ＶＩＢ族金属を含むことができる。追加的に、または代わりとして、脱ろう触媒組成物は、約２０．０重量％以下、例えば、約１５．０重量％以下、約１０．０重量％以下、約５．０重量％以下、または約１．０重量％以下の第ＶＩＢ族金属を含むことができる。しかしながら、脱ろう触媒組成物が第ＶＩＩＩ族金属のみを含有する場合、（Ｐｔおよび／またはＰｄなどの）不活性の第ＶＩＩＩ族金属（又は貴金属）が好ましい第ＶＩＩＩ族金属である。
【００５５】
有利には親水性および／または水熱安定性であることができる脱ろう触媒組成物の結合剤は、チタン、ジルコニウム、バナジウム、モリブデン、マンガンおよびセリウムから選択される１種以上の金属、活性炭、ならびに／あるいはその上に、チタン、ジルコニウム、バナジウム、モリブデン、マンガンおよびセリウムから選択される１種以上の金属が堆積（又は析出）された炭素を含んでなる。より好ましくは、脱ろう触媒の結合剤は、チタン、ジルコニウム、バナジウム、モリブデン、マンガンおよびセリウムから選択される１種以上の金属を含んでなる。さらにより好ましくは、脱ろう触媒の結合剤は、チタン、ジルコニウムおよびセリウムから選択される１種以上の金属を含んでなる。最も好ましくは、結合剤はチタンを含んでなる。
【００５６】
他の実施形態において、脱ろう触媒の結合剤は、チタン、ジルコニウム、バナジウム、モリブデン、マンガンおよびセリウムから選択される１種以上の金属、活性炭、ならびに／あるいはその上に、チタン、ジルコニウム、バナジウム、モリブデン、マンガンおよびセリウムから選択される１種以上の金属が堆積（又は析出）された炭素から本質的になる。別の実施形態において、脱ろう触媒の結合剤は、チタン、ジルコニウム、バナジウム、モリブデン、マンガンおよびセリウムから選択される１種以上の金属から本質的になる。別の実施形態において、脱ろう触媒の結合剤は、チタン、ジルコニウムおよびセリウムから選択される１種以上の金属から本質的になる。さらに別の実施形態において、結合剤はチタンから本質的になる。
【００５７】
１種以上の金属の形態は金属であってもよいが、典型的に、酸化物、炭化物、窒化物、リン化物、硫化物またはそれらの組み合わせを含んでなる（例えば、炭化物と窒化物との組み合わせはニトリルであることが可能であり、リン化物と酸化物との組み合わせは、リン酸塩、亜リン酸塩、次亜リン酸塩などであることが可能である）。必ずではないが、好ましくは、結合剤はチタニア（二酸化チタンとしても知られる）を含んでなる。本発明による脱ろう触媒組成物は、上記成分から本質的になってもよく、あるいは他の遷移金属（例えば、ニオブなどの第Ｖ族金属）の供給源、希土類元素の供給源、有機配位子（例えば、添加されたか、あるいは酸化および硫化工程から残った前駆体として）、リン化合物、ホウ素化合物、フッ素含有化合物、シリコン含有化合物、促進剤、追加結合剤、充填剤もしくは同類の薬剤、またはそれらの組み合わせなどの追加の成分を任意に含有してもよい。本明細書に指される族は、Ｈａｗｌｅｙ’ｓ  Ｃｏｎｄｅｎｓｅｄ  Ｃｈｅｍｉｃａｌ  Ｄｉｃｔｉｏｎａｒｙ（第１３版）の周期表に見られるＣＡＳ版の族を指す。
【００５８】
水素化処理反応器の第２の反応領域の好ましい条件には、限定されないが、改善された雲点特性などの改善された低温流れ特性を有する第２の反応領域流出物を製造するために十分な第２の水素化処理条件下で、炭化水素原料および第１の水素処理ガス流を、脱ろう触媒と接触させることを含む。
【００５９】
これらの第２の水素化処理条件は、約５００°Ｆ（約２６０℃）〜約８００°Ｆ（約４２７℃）、例えば、約５５０°Ｆ（約２８８℃）〜約７００°Ｆ（約３７１℃）の重量平均床温度（ＷＡＢＴ）、約３００ｐｓｉｇ（約２．１ＭＰａｇ）〜約３０００ｐｓｉｇ（約２０．７ＭＰａｇ）、例えば、約７００ｐｓｉｇ（約４．８ＭＰａｇ）〜約２０００ｐｓｉｇ（約１３．８ＭＰａｇ）の全圧力、約０．１時間−１〜約２０時間−１、例えば、約０．２時間−１〜約１０時間−１のＬＨＳＶの１つ以上を含むことができる。この第２の反応領域への第１の反応器床流出物において過剰量の水素を提供するために、第１の反応領域において過剰量の水素を添加することができる。好ましい実施形態において、第２の水素処理ガス流は、第１の反応領域流出物と、第２の反応領域に位置する脱ろう触媒との接触の前、またはそれと同時に、第１の反応領域流出物に添加されてもよい。そのような場合、約２００ｓｃｆ／ｂｂｌ（約３６ｍ３／ｍ３）〜約５０００ｓｃｆ／ｂｂｌ（約８９０ｍ３／ｍ３）の第２の水素処理ガス速度が好ましい。
【００６０】
この第２の反応領域処理の生産物は、「第２の反応領域流出物」である。この流出物は、水素化処理反応器において追加の触媒床および／または反応領域によってさらに処理されてもよいが、限定せず、また単純さのために、第１の反応領域および第２の反応領域、ならびに関連する触媒床のみが水素化処理反応器に存在する実施形態に関して本明細書にプロセスを記載し続ける。本発明のそのような実施形態において、第２の反応領域流出物は、水素化処理反応器から引き出される。好ましくは、第２の反応領域流出物の少なくとも一部は、気相生産物および反応器流出物生産物を形成するために分離される。追加的に、または任意に、反応領域流出物は水素化処理反応器から引き出され、そして分留装置塔に送られ、そこで気相生産物は反応器流出物生産物から除去され、そして反応器流出物生産物は、同時に２以上の異なる沸騰範囲の液体生産物流に分留される。この後者の実施形態において、「反応器流出物生産物」という用語は、本明細書の全体的な反応器流出物生産物の特定のフラクションとして示されない限り、分留された液体生産物流の組み合わせであると考えられる。「液体生産物」または「液体生産物流」という用語は、本明細書の文脈で利用される場合、標準（大気）圧力および温度において液体である本プロセスの反応器生産物成分を意味する。
【００６１】
図１は、本明細書に記載されるような２つのみの反応領域を有する単一反応器が利用される本明細書のプロセス形状の実施形態の単純化されたスキームを例示する。図１は、モーター燃料用途のためにさらに分離することができる反応器流出物生産物を形成するために、第２の反応領域流出物から気相生産物を分離するためのフラッシュドラムの任意の使用を示す。
【００６２】
図１中、鉱油成分１およびバイオマス油成分５を組み合わせて、組み合わせた炭化水素原料１０を形成する。そのような組み合わせが図中では、単純さのために水素化処理反応器２０に入る前に生じるように例示されるが、本発明はそのように限定されない。典型的に、２つの成分流は、水素化処理反応器２０への導入の有意に前に、プロセスの一部で混合される。組み合わせられた流れは、追加的に、図１中に例示されるように、プロセスの工程より前に前処理を受ける。
【００６３】
図１を続けると、組み合わせた炭化水素原料１０（または本明細書に単に「炭化水素原料」と記載される）は、水素化処理反応器２０に入る。第１の水素処理ガス流１５は、炭化水素原料と組み合わせられる。図１中、この組み合わせる工程は、反応器に入る前に炭化水素原料流１０と混合するように示される。しかしながら、第１の水素処理ガス流１５は、任意に、または追加的に、直接に水素化処理反応器２０へと、本明細書のプロセスに導入されてもよい。水素原料１０および第１の水素処理気体１５は、本明細書に記載される第１の水素化処理条件下、第１の反応器領域２５において触媒と接触する。第１の反応領域２５は、本明細書の発明の詳細において記載されるような水素化脱硫／脱酸素触媒を含有する。組み合わせた流れの成分は第１の反応領域２５において触媒を通過し、ここで、この成分は、異なる分子生産物に触媒的に変換されて、そして第１の反応領域流出物として第１の反応領域から出て（図中、別々に示されない）、これは、次いで、本明細書に記載されるような第２の水素化処理条件下で第２の反応領域３０を通過する。任意に、示されるように、第２の水素処理ガス流体３５を第２の反応領域３０の前にプロセスに添加することができる。第１の反応領域流出物は、第２の反応領域３０において触媒的に変換され、本明細書の詳細説明に記載されるような生産物特性を生じ、そして示されるように、第２の反応領域流出物４０として水素化処理反応器２０から引き出すことができる。
【００６４】
図１に示される実施形態において、第２の反応領域流出物４０を気相生産物５５および反応器流出物生産物６０に分離するために、フラッシュドラム５０が利用される。示されないが、フラッシュドラム５０に入る前に、第２の反応領域流出物４０に追加の冷却を行ってもよい。次いで、反応器流出物生産物６０を、さらに処理することができ、そして／またはディーゼル、ケロシン、ジェット、暖房油、船舶、掩蔽壕燃料および／もしくは潤滑油の用途のためのフラクションに分離することができる。
【００６５】
図２は、本明細書のプロセスの別の任意の実施形態を例示する。この形状において、図１に記載される要素／プロセス１〜４０は、図２に示されるものと本質的に同じである。しかしながら、本明細書のプロセスの好ましい用途は、組み合わせた鉱油／バイオマス成分流を共処理しながら、モーター燃料のスペックを満たすナフサ流（ガソリンブレンド用）または蒸留物（ディーゼルブレンド用）などの少なくとも１種のモーター燃料生産物流を製造することであるため、分留装置塔７０は、第２の反応領域流出物４０を使用可能なモーター燃料フラクションへと直接分離するために利用される。
【００６６】
ここで、第２の反応領域流出物４０は、分留装置塔７０に入って、様々な生産物流に分離するものとして示される。ここで、気相流７５は、分留塔７０のオーバーヘッドから引き出される。ガス流および液体流への第２の反応領域流出物４０の初期の分離を生じるフラッシュドラム（図１中では要素５０として示される）を利用することは任意であり（図２中で示されず／詳述されない）、次いで、液体流を、さらに記載されるようなさらなる分離のために分留装置塔７０に通過させることができることに留意すべきである。図２に示される形状を続けると、気相流れ７５は、（硫化水素などの）反応プロセスから縮合不可能な生産物であるいくらかの水素、水および軽質石油ガスまたは「ＬＰＧ」（プロパンおよびブタンなど）を主に含有する。
【００６７】
本明細書の好ましい実施形態において、８０°Ｆ（２７℃）〜４５０°Ｆ（２３２℃）の沸騰範囲を有するナフサ範囲フラクション８０および／または４００°Ｆ（２０４℃）〜７００°Ｆ（３７１℃）の沸騰範囲を有する蒸留物範囲フラクション８５の一方または両方が分留装置塔７０から得られる。本明細書に記載される通り、これらの生産物はモーター燃料での使用のために改善された生産物品質を有する。例えば、ナフサ範囲フラクションは、プロセスに導入された炭化水素原料より低い硫黄を有し、そして好ましくはモーターガソリンのスペックを満たすために十分に硫黄が低い。ナフサ範囲フラクションは、ガソリンオクタンを改善する異性体含有量においても改善されなければならない。同様に、得られる蒸留物生産物は、ディーゼルモーター燃料での使用のために改善された生産物品質を有する。蒸留物範囲フラクションは、プロセスに導入された炭化水素原料より低い硫黄を有し、そして好ましくはモーターガソリンのスペックを満たすために十分に硫黄が低い。また蒸留物フラクションは、組み合わせた炭化水素原料の処理されていない蒸留物フラクション以上に改善された雲点特性を有し、そして好ましくは、さらなる変換処理を必要とせずに、ディーゼルモーター燃料のための商業的輸送および使用のスペックを満たす。
【００６８】
図２を続けると、任意に、炭化水素原料が、蒸留物沸騰範囲よりも著しく高い沸点を有するフラクション成分を含有する場合、船舶／掩蔽壕燃料フラクション９０が、分留塔７０から引き出されることができる。追加的に、そのような場合、潤滑油フラクション９５が分留塔７０から引き出されてもよい。本発明のプロセスは、改善された流動点および粘度特性を有する低硫黄潤滑油フラクションを製造する際に、例外的に有用である。
【００６９】
好ましい実施形態において、反応器流出物生産物は、組み合わせた炭化水素原料の分枝鎖（イソ−）パラフィン含有量よりも少なくとも１０重量％高い、そしてより好ましくは少なくとも２０重量％高い、そしてさらにより好ましくは少なくとも３５重量％高い分枝鎖（イソ−）パラフィン含有量を有する。
【００７０】
追加的に、本明細書の好ましい実施形態において、第２の反応領域流出物流からの気相流の分離後、反応器流出物生産物流は、炭化水素原料に存在する硫黄の好ましくは２５重量％未満、より好ましくは１０重量％未満、そして最も好ましくは５重量％未満を含有する。好ましい実施形態において、反応器流出物生産物流は、２５０ｐｐｍ未満、より好ましくは１００ｐｐｍ未満、さらにより好ましくは５０ｐｐｍ未満、そして最も好ましくは３０ｐｐｍ未満の硫黄を含有する。
【００７１】
追加的に、本明細書の好ましい実施形態において、第２の反応領域流出物流からの気相流の分離後、反応器流出物生産物流は、炭化水素原料に存在する酸素の好ましくは５０重量％未満、より好ましくは２５重量％未満、そして最も好ましくは１０重量％未満を含有する。好ましい実施形態において、反応器流出物生産物流は、１０，０００ｐｐｍ未満、より好ましくは５，０００ｐｐｍ未満、さらにより好ましくは１，０００ｐｐｍ未満、そして最も好ましくは５００ｐｐｍ未満の酸素を含有する。
【００７２】
いくつかの実施形態において、本発明による方法の反応器流出物生産物の一部以上の部分（またはおそらく全生産物）は、１種以上の輸送燃料組成物として有利に使用することができ、そして／または１種以上の既存の燃料プールに送られてもよい。そのような燃料組成物／プールの非限定的な例には、限定されないが、ディーゼル、ケロシン、ジェット、暖房油、船舶および／または掩蔽壕燃料が含まれる。例えば、一実施形態において、生産物の蒸留物部分は、４００°Ｆ（２０４℃）〜５５０°Ｆ（２８８℃）の沸騰範囲を有するケロシンカットおよび５５０°Ｆ（２３２℃）〜７００°Ｆ（３７１℃）の沸騰範囲を有するディーゼルカットに分離することができる（例えば、分留などによって）。
【００７３】
より好ましい実施形態において、反応器流出物生産物のディーゼル沸騰範囲フラクションは分離／単離されて、そしてディーゼル沸騰範囲フラクション、０℃未満、好ましくは５℃未満、または１０℃未満、または１５℃未満、または２０℃未満、または２５℃未満、または３０℃未満、または３５℃未満、または４０℃未満の雲点を示すことができる。
【００７４】
追加的に、または代わりとして、本発明は以下の実施形態を含むことができる。
【００７５】
実施形態１
少なくとも１つの液体モーター燃料生産物を形成するための、鉱油成分およびバイオマス油成分を含んでなる炭化水素原料の処理方法であって、当該方法が、
ａ）前記炭化水素原料よりも少ない有機結合硫黄および前記炭化水素原料よりも少ない有機結合酸素を含有する第１の反応領域流出物を製造するために十分な第１の水素化処理条件下で、水素化処理反応器の第１の反応領域において、前記炭化水素原料および第１の水素処理ガス流を、水素化脱硫／脱酸素触媒と接触させる工程と、
ｂ）第２の反応領域流出物を製造するために十分な第２の水素化処理条件下で、前記水素化処理反応器の第２の反応領域において、前記第１の反応領域流出物を脱ろう触媒と接触させる工程と、
ｃ）前記炭化水素原料よりも低い硫黄含有量および前記炭化水素原料よりも低い酸素含有量を有する反応器流出物生産物を製造するために、気相生産物流を前記第２の反応領域流出物から分離する工程と、
ｄ）前記反応器流出物生産物の少なくとも一部から少なくとも１つの液体モーター燃料生産物を製造する工程と
を含んでなり、
前記脱ろう触媒が、ゼオライト担体と、その上に堆積（又は析出）された１つ以上の第ＶＩＢ族金属および第ＶＩＩＩ族金属を含んでなる少なくとも１つの活性金属化合物と、（Ａ）チタン、ジルコニウム、バナジウム、モリブデン、マンガンおよびセリウムから選択される１つ以上の金属の酸化物、炭化物、窒化物、リン化物、硫化物またはそれらの組み合わせ、（Ｂ）活性炭、ならびに（Ｃ）チタン、ジルコニウム、バナジウム、モリブデン、マンガンおよびセリウムから選択される１つ以上の金属がその上に堆積（又は析出）された炭素のうち１つ以上を含んでなる、親水性で水熱安定性の結合剤（又はバインダ）とを含んでなる、
方法。
【００７６】
実施形態２
前記脱ろう触媒の前記結合剤が、ジルコニア、バナジア、チタニア、酸化モリブデン、酸化マンガン、酸化セリウム、炭素またはそれらの組み合わせを含んでなる、実施形態１の方法。
【００７７】
実施形態３
前記脱ろう触媒の前記結合剤が、チタン、ジルコニウム、バナジウム、モリブデン、マンガンおよびセリウムから選択される１つ以上の金属を含んでなる、実施形態１の方法。
【００７８】
実施形態４
前記脱ろう触媒の前記結合剤が、チタン、ジルコニウムおよびセリウムから選択される１つ以上の金属を含んでなる、実施形態３の方法。
【００７９】
実施形態５
前記脱ろう触媒の前記結合剤が、チタン、ジルコニウムおよびセリウムから選択される１つ以上の金属から本質的になる、実施形態４の方法。
【００８０】
実施形態６
前記脱ろう触媒の前記結合剤が、チタンを含んでなる、実施形態３の方法。
【００８１】
実施形態７
前記脱ろう触媒の前記結合剤が、チタンから本質的になる、実施形態６の方法。
【００８２】
実施形態８
前記脱ろう触媒の前記ゼオライト担体が、ＺＳＭ−５、ＺＳＭ−２２、ＺＳＭ−２３、ＺＳＭ−３５、ＺＳＭ−４８、ゼオライトベータ、ゼオライトＹ、ＵＳＹ、モルデナイト、フェリエライトまたはそれらの組み合わせを含んでなる、実施形態１〜７のいずれかの方法。
【００８３】
実施形態９
前記水素化脱硫／脱酸素触媒が、Ｆｅ、ＣｏおよびＮｉから選択される少なくとも１つの第ＶＩＩＩ族金属酸化物と、ＭｏおよびＷから選択される少なくとも１つの第ＶＩＢ族金属酸化物とを含んでなる、実施形態１〜８のいずれかの方法。
【００８４】
実施形態１０
前記水素化脱硫／脱酸素触媒が、アルミナ、シリカおよびシリカアルミナから選択される担体をさらに含んでなる、実施形態１〜９のいずれかの方法。
【００８５】
実施形態１１
前記第１の水素化処理条件が、約５００°Ｆ（約２６０℃）〜約８００°Ｆ（約４２７℃）の重量平均床温度（ＷＡＢＴ）、約３００ｐｓｉｇ（約２．１ＭＰａｇ）〜約３０００ｐｓｉｇ（約２０．７ＭＰａｇ）の全圧力、約０．１時間−１〜約２０時間−１のＬＨＳＶ、および約５００ｓｃｆ／ｂｂｌ（約８９ｍ３／ｍ３）〜約１００００ｓｃｆ／ｂｂｌ（約１７８１ｍ３／ｍ３）の水素処理ガス速度のうち１つ以上を含む、実施形態１〜１０のいずれかの方法。
【００８６】
実施形態１２
前記第１の水素化処理条件が、２ｐｓｉａよりも高い水の分圧を含む、実施形態１〜１１のいずれかの方法。
【００８７】
実施形態１３
前記第２の水素化処理条件が、約５００°Ｆ（約２６０℃）〜約８００°Ｆ（約４２７℃）の重量平均床温度（ＷＡＢＴ）、約３００ｐｓｉｇ（約２．１ＭＰａｇ）〜約３０００ｐｓｉｇ（約２０．７ＭＰａｇ）の全圧力、および約０．１時間−１〜約２０時間−１のＬＨＳＶのうち１つ以上を含む、実施形態１〜１２のいずれかの方法。
【００８８】
実施形態１４
前記第２の水素化処理条件が、５ｐｓｉａよりも高い水の分圧をさらに含む、実施形態１〜１３のいずれかの方法。
【００８９】
実施形態１５
前記第２の水素化処理条件が、約２００ｓｃｆ／ｂｂｌ（約３６ｍ３／ｍ３）〜約５０００ｓｃｆ／ｂｂｌ（約８９０ｍ３／ｍ３）の処理ガス速度での第２の水素処理ガスの導入を含む、実施形態１〜１４のいずれかの方法。
【００９０】
実施形態１６
前記気相生産物流および前記反応器流出物生産物を製造するために、前記第２の反応領域流出物がフラッシュドラムで分離される、実施形態１〜１５のいずれかの方法。
【００９１】
実施形態１７
前記第２の反応領域流出物が、前記気相生産物流および前記反応器流出物生産物を製造するために、分留装置塔で分離される、実施形態１〜１５のいずれか１つの方法。
【００９２】
実施形態１８
前記炭化水素原料が、８０重量％〜約９８重量％の前記鉱油成分と、２重量％〜約２０重量％の前記バイオマス油成分とを含有し、前記鉱油成分が少なくとも５００ｐｐｍｗの硫黄を含有し、かつ前記反応器流出物生産物が１００ｐｐｍｗ未満の硫黄を含有する、実施形態１〜１７のいずれかの方法。
【００９３】
実施形態１９
前記バイオマス油成分が少なくとも２重量％の酸素を含有し、かつ前記反応器流出物生産物が１，０００ｐｐｍｗ未満の酸素を含有する実施形態１８の方法。
【００９４】
実施形態２０
前記バイオマス油成分が、藻類から誘導される、実施形態１〜１９のいずれかの方法。
【００９５】
実施形態２１
前記炭化水素原料が、少なくとも約２００°Ｆ（９３℃）のＴ５沸点および約８００°Ｆ（４２７℃）未満のＴ９５沸点を有する、実施形態１〜２０のいずれかの方法。
【００９６】
実施形態２２
前記少なくとも１つの液体モーター燃料生産物が、前記反応器流出物生産物のディーゼル沸騰範囲フラクションから製造され、前記ディーゼル沸騰範囲フラクションの雲点が０℃未満である、実施形態１〜２１のいずれかの方法。
【００９７】
実施形態２３
前記反応器流出物生産物が、前記炭化水素原料の分枝（イソ−）パラフィン含有量よりも少なくとも２０重量％高い分枝（イソ−）パラフィン含有量を有する、実施形態１〜２２のいずれかの方法。
【００９８】
実施形態２４
前記脱ろう触媒が、ＺＳＭ−４８と、前記ＺＳＭ−４８の重量に基づき、約０．１重量％〜約３．０重量％の金属含有量を有するパラジウムおよび白金から選択される第ＶＩＩＩ族金属と、チタニア結合剤とを含んでなる、実施形態１および８〜２３のいずれか１つの方法。
【００９９】
実施形態２５
前記脱ろう触媒が、ＺＳＭ−４８と、前記ＺＳＭ−４８の重量に基づき、約０．５重量％〜約２０重量％の第ＶＩＩＩ族金属含有量を有するニッケル、コバルトおよび鉄から選択される第ＶＩＩＩ族非貴金属と、前記ＺＳＭ−４８の重量に基づき、約３重量％〜約２５重量％の第ＶＩＢ族金属含有量を有するモリブデンおよびタングステンから選択される第ＶＩＢ族金属と、チタニア結合剤とを含んでなる、実施形態１および８〜２３のいずれか１つの方法。
【０１００】
実施形態２６
ナフサ沸騰範囲フラクションおよび蒸留物沸騰範囲フラクションが分留装置塔から得られる、実施形態１７〜２５のいずれか１つの方法。
【０１０１】
実施形態２７
前記分留塔からの前記ナフサ沸騰範囲フラクションが、前記炭化水素原料のナフサ沸騰範囲フラクションよりも高いオクタン価を有する、実施形態２６の方法。
【０１０２】
実施形態２８
前記分留塔からの前記蒸留物沸騰範囲フラクションが、前記炭化水素原料の蒸留物沸騰範囲フラクションよりも低い雲点および前記炭化水素原料の蒸留物沸騰範囲フラクションよりも低い流動点を有する、実施形態２６および２７のいずれか１つの方法。
【０１０３】
実施形態２９
前記蒸留物沸騰範囲フラクションは、０℃未満の雲点を有するディーゼル沸騰範囲フラクションを含有する、実施形態２６〜２８のいずれか１つの方法。
【実施例】
【０１０４】
（実施例）
本明細書の実施例は、水相水素化転化処理における従来技術の相当する触媒と比較して、より高い変換活性を示し、かつそれを維持する本明細書の水耐性触媒の特性を例示する。
【０１０５】
実施例１
一連の異なる触媒組成物において、約２５０℃、約２７５℃、約３００℃および約３２５℃の温度でステアリン酸原料を変換した。これらの触媒組成物には、アルミナ担体／結合剤上の＜１重量％のＰｔ、チタニア結合剤（触媒重量の約３５％）を有するＺＳＭ−２３担体上の＜１重量％のＰｔ（担体上の全金属は触媒重量の約６５％であった）、アルミナ結合剤（触媒重量の約３５％）を有するＺＳＭ−４８担体上の＜１重量％のＰｔ（担体上の全金属は触媒重量の約６５％であった）、チタニア結合剤を有するＺＳＭ−４８担体上の＜１重量％のＰｔ、アルミナ結合剤（触媒重量の約３５％）を有するＺＳＭ−５担体上の＜１重量％のＰｔ（担体上の全金属は触媒重量の約６５％であった）、ならびに金属および結合剤を含まないＺＳＭ−５が含まれた。試験した全ての温度において、チタニア含有（またはより概括的に非アルミナ含有）触媒組成物は、アルミナ含有触媒組成物よりも高いステアリン酸原料の変換を示した。約２７５℃以上において、チタニア（非アルミナ）含有触媒は全て、少なくとも１５％（例えば約２０％〜約９５％）の変換レベルを示したが、アルミナ含有触媒は１０％未満の変換レベルを示した。これらの変換レベルは、物質収支が関与する計算に基づき、これは酸素含有量に対する良好な指標であることもできる。脱酸素は、脱カルボキシル化および脱水を通して生じることができるため、その反応／処理条件において形成されたＣＯ２および水の完全な損失を仮定して、（少なくとも脱カルボニル化／脱カルボキシル化反応に関する）変換レベルは、物質収支の低下によって増加する傾向があることができる。アルミナ含有触媒などの非親水性および／または非水熱安定性の結合剤を有する触媒は、そのような原料の脱酸素に関して非常に低い活性を示す。
【０１０６】
実施例２
実施例２において、結合剤以外は同一である２種の触媒組成物の活性を直接比較した。第１の触媒組成物は、アルミナ結合剤を有するＺＳＭ−４８担体上の＜１重量％のＰｔであり、第２の触媒組成物は、チタニア結合剤を有するＺＳＭ−４８担体上の＜１重量％のＰｔであった。各触媒上で、ステアリン酸原料を、約３２５℃の温度で、約０．３時間−１の重量空間速度で、および約４００ｐｓｉｇ（約２．８ＭＰａｇ）の水素分圧下で変換した。生産物は、質量分析計（ＧＣ−ＭＳ）に連結されたガスクロマトグラフを使って分析した。スペクトル比較は、上部のチタニア結合剤、底部のアルミナ結合剤によって図３に示される。チタニア結合剤を含有する触媒組成物は、パラフィンから分枝鎖（イソ−）パラフィンまでの原料の実質的に完全な変換を示し、また実質的に完全な脱酸素も示した。この上部試料の流動点は、約１０℃／分の温度変化率を使用する示差走査熱量測定（ＤＳＣ）による分析に基づき、約５０℃未満であると決定された。アルミナ結合剤を含有する触媒組成物は、多量の未変換ステアリン酸と、いくらかの限定的な脱酸素を示したが、パラフィンから分枝鎖（イソ−）パラフィンへの変換のかろうじて検出可能な（トレース）量のみを示した。この底部試料の流動点は、ＤＳＣ分析に基づき、約＋５２℃であることが決定された。比較のため、ステアリン酸原料の流動点（融点）は、約＋６９℃であった。
【０１０７】
本発明の操作の原理およびモードを、様々な例示的かつ好ましい実施形態に関して上記に記載した。当業者によって理解されるように、本発明は、全体として、請求の範囲で定義されるように、本明細書に特に列挙されない他の好ましい実施形態を包含する。
【図１】
2015525271.tif 000003
【図２】
2015525271.tif 000004
【図３】
2015525271.tif 000005
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
少なくとも１つの液体モーター燃料生産物を形成するための、鉱油成分およびバイオマス油成分の混合物を含んでなる混合された原料の処理方法であって、前記鉱油成分は、少なくとも２５０ｐｐｍｗの硫黄を含有し、前記バイオマス油成分は、前記原料の全重量に基づいて、２〜２０重量％であり、
ａ）前記鉱油成分よりも少ない有機結合硫黄および前記バイオマス油成分よりも少ない有機結合酸素を含有する水素化処理された流出物を製造するための水素化処理条件下で、水素化処理反応器の第１の反応領域において、水素化脱硫／脱酸素触媒を用いて、水素流の存在下で、前記混合された原料を水素化処理する工程と、
ｂ）前記第１の反応領域の流出物流において前記反応成分が分離することがなく、水素化脱ろうされた流出物を製造するために十分な水素化脱ろう条件下で、前記水素化処理反応器の第２の反応領域において、前記水素化処理された流出物を脱ろう触媒と接触させる工程と、
ｃ）前記炭化水素原料よりも低い硫黄含有量および前記炭化水素原料よりも低い酸素含有量を有する反応器流出物生産物を製造するために、気相生産物流を前記第２の反応領域流出物から分離する工程と、
ｄ）前記反応器流出物生産物の少なくとも一部から少なくとも１つの液体モーター燃料生産物を製造する工程と
を含んでなり、
前記水素化脱ろう触媒が、ゼオライト担体と、その上に堆積された１つ以上の不活性な第ＶＩＩＩ族金属を含んでなる少なくとも１つの活性金属化合物と、チタニア、ジルコニア、セリアまたは炭素から選択される結合剤とを１３．８ｋＰａａ（２ｐｓｉａ）よりも高い水の分圧を含む条件下で含んでなる、
方法。
【請求項２】
前記脱ろう触媒の前記ゼオライト担体が、ＺＳＭ−５、ＺＳＭ−２２、ＺＳＭ−２３またはＺＳＭ−４８を含んでなる、請求項１に記載の方法。
【請求項３】
前記水素化脱硫／脱酸素触媒が、Ｆｅ、ＣｏおよびＮｉから選択される少なくとも１つの第ＶＩＩＩ族金属酸化物と、ＭｏおよびＷから選択される少なくとも１つの第ＶＩＢ族金属酸化物とを含んでなる、請求項１または２に記載の方法。
【請求項４】
前記水素化脱硫／脱酸素触媒が、アルミナ、シリカおよびシリカアルミナから選択される担体を含んでなる、請求項１〜３のいずれか１項に記載の方法。
【請求項５】
前記水素化処理条件が、５００°Ｆ（２６０℃）〜８００°Ｆ（４２７℃）の重量平均床温度（ＷＡＢＴ）、３００ｐｓｉｇ（２．１ＭＰａｇ）〜３０００ｐｓｉｇ（２０．７ＭＰａｇ）の全圧力、０．１時間−１〜２０時間−１のＬＨＳＶ、５００ｓｃｆ／ｂｂｌ（８９ｍ３／ｍ３）〜１００００ｓｃｆ／ｂｂｌ（１７８１ｍ３／ｍ３）の水素処理ガス速度のうち１つ以上を含む、請求項１〜４のいずれか１項に記載の方法。
【請求項６】
水素化脱ろう条件が、５００°Ｆ（２６０℃）〜８００°Ｆ（４２７℃）の重量平均床温度（ＷＡＢＴ）、約３００ｐｓｉｇ（２．１ＭＰａｇ）〜３０００ｐｓｉｇ（２０．７ＭＰａｇ）の全圧力、０．１時間−１〜２０時間−１のＬＨＳＶのうち１つ以上を含む、請求項１〜５のいずれか１項に記載の方法。
【請求項７】
前記炭化水素原料が、８０重量％〜約９８重量％の前記鉱油成分と、２重量％〜約２０重量％の前記バイオマス油成分とを含有し、前記鉱油成分が少なくとも５００ｐｐｍｗの硫黄を含有し、かつ前記反応器流出物生産物が１００ｐｐｍｗ未満の硫黄を含有する、請求項１〜６のいずれか１項に記載の方法。
【請求項８】
前記混合された原料が、少なくとも約２００°Ｆ（９３℃）のＴ５沸点および約８００°Ｆ（４２７℃）未満のＴ９５沸点を有する、請求項１〜７のいずれか１項に記載の方法。
【請求項９】
前記液体モーター燃料生産物が、前記反応器流出物生産物のディーゼル沸騰範囲フラクションから製造され、前記ディーゼル沸騰範囲フラクションの雲点が０℃未満であり、前記反応器流出物生産物が、前記炭化水素原料の分枝（イソ−）パラフィン含有量よりも少なくとも２０重量％高い分枝（イソ−）パラフィン含有量を有する、請求項１〜８のいずれか１項に記載の方法。
【請求項１０】
前記水素化脱ろう触媒が、ＺＳＭ−４８と、前記ＺＳＭ−４８の重量に基づき、約０．１重量％〜約３．０重量％の金属含有量を有するパラジウムおよび白金から選択される第ＶＩＩＩ族金属と、チタニア結合剤とを含んでなる、請求項１に記載の方法。
【国際調査報告】
2015525271.tif 000006
2015525271.tif 000007